(57)【要約】【課題】  配管材の引き出しを円滑に行うことができる、配管材の梱包装置体を提供する。【解決手段】  梱包装置体１１は、通水管１と、段ボール箱体３と、回動部材５と、軸部材６とからなる。段ボール箱体３は、合成樹脂材料からなる通水管１の巻回束１ａを収容し、通水管１を外に引き出すための引出部３ｃを備えている。回動部材５は、段ボール箱体３に収容されて、巻回束１ａを支える。軸部材６は、回動部材５が巻回束１ａとともにその巻回束１ａの周方向に回動可能となるよう支持する。ここで、巻回束１ａは、結束されており、その結束は、巻回束１ａの外周側から内周側に向かって段階的に開放可能となっている。【選択図】  図２
2005053561.tif 000002
【特許請求の範囲】
【請求項１】
周回状に巻回された架橋ポリエチレン等の合成樹脂材料からなる配管材の巻回束を梱包した梱包装置体であって、
結束された前記巻回束と、
前記巻回束を収容するとともに、前記配管材をその端部から順に外に引き出すための引出部が備わる、段ボール箱体と、
前記段ボール箱体に収容されて、前記巻回束を支えてその巻回束とともにその巻回束の周方向に回動可能に支持される、回動部材と、を備え、
前記結束は、前記巻回束の外周側から内周側に向かって段階的に開放可能となっていることを特徴とする、配管材の梱包装置体。
【請求項２】
前記巻回束は、その径方向において、複数の結束具によって多段的に結束されていることを特徴とする請求項１に記載の、配管材の梱包装置体。
【請求項３】
前記結束具は、前記巻回束に巻き付けられる結束線類からなることを特徴とする請求項２に記載の、配管材の梱包装置体。
【請求項４】
前記結束具は、前記巻回束の各側面に取り付けられて、その巻回束の径方向に並ぶ前記配管材を保持する、保持部材からなることを特徴とする請求項２に記載の、配管材の梱包装置体。
【請求項５】
前記保持部材は、少なくとも前記巻回束の径方向の各側で、前記配管材に嵌められるクリップ部と、それらクリップ部を連結する連結部とを有することを特徴とする請求項４に記載の、配管材の梱包装置体。
【請求項６】
複数の前記保持部材は、その全てが、同一形状かつ同一サイズであることを特徴とする請求項４または５に記載の、配管材の梱包装置体。
【請求項７】
前記配管材の引き出しに伴って、最終段階で開放される前記結束が開放されたときに、その開放によって広がった残りの前記巻回束が、前記段ボール箱体の、前記巻回束の外周面と対向する周壁の内面に接触しないように、構成されていることを特徴とする請求項１ないし６のいずれか１項に記載の、配管材の梱包装置体。
【発明の詳細な説明】
【技術分野】
【０００１】
この発明は、合成樹脂材料からなる配管材の巻回束が梱包された、配管材の梱包装置体に関するものである。
【背景技術】
【０００２】
従来、例えば、架橋ポリエチレン製等の合成樹脂製の可撓性を備えた配管材としての給水管は、数十ｍ単位の長尺体が巻回された状態で、樹脂バンドにより固定され、段ボール箱内に収容されていた。このように段ボール箱内に収容された給水管は、施工現場等において、巻回状態のまま段ボール箱内から取り出された。そして、この給水管は、例えば、ヘッダー等の湯水供給体と、水栓が接続される継手等の湯水消費体との間に所定の配管経路をもって配管された鞘管内に、先端側から順次送り込まれるようにして挿通された。
【０００３】
なお、給水管用の装置ではないが、ケーブルの収納装置として、例えば、図１４に示されるような、ケーブル２２を回動可能に支持する収納装置２１があった（特許文献１参照）。この収納装置２１は、ケーブル２２が、巻回された状態で、箱体２３内に収納されていた。そして、箱体２３は、縦置きにされて、壁面２３ａの下部に明けられた引出孔２３ｂから、ケーブル２２が順次引き出された。なお、図中符号２４は、中空筒体で形成される回動部材としてのケーブル保持部材である。２４ａは、直方体箱形の軸受部材である。
【０００４】
【特許文献１】特開平１０−２９１７３７号公報
【発明の開示】
【発明が解決しようとする課題】
【０００５】
ところで、前記従来の巻回状態の給水管にあっては、巻き癖が強く、巻回状態の給水管を、回転させずにそのまま引き出すと、前記巻き癖と引き出された給水管の捩れにより、この給水管を鞘管内に挿通することが困難であった。
【０００６】
そこで、例えば、複数人の作業者により、一人が巻回状態の給水管を回動可能に保持し、もう一人が給水管を先端側から順次引き出して鞘管内に挿通することで、その給水管を配管するようにしていた。また、別途、回転ドラムを用意し、段ボール箱内から取り出した巻回状態の給水管を、回転ドラムに装着し、その回転ドラムにより、巻回状態の給水管を回転させるようにして、給水管を先端側から引き出すこともあった。しかし、上記のいずれの引き出し方法も、複数人の作業者を必要としたり、回転ドラムを用意する必要があったりして、面倒で作業性が悪かった。
【０００７】
ここにおいて、前記ケーブル２２の収納装置２１の構造を、給水管に適用すると、架橋ポリエチレン製等の給水管は、極めて剛性が高いため、予め結束された給水管の巻回束の、その結束を開放すると、巻回束が広がって、その広がった巻回束が、箱体の壁を強く押すこととなった。そして、この結果、巻回束の回動が妨げられ、給水管の引き出しが困難となる虞があった。
【０００８】
この発明は、上記した従来の問題点を解決するためになされたものであり、その目的とするところは、配管材の引き出しを円滑に行うことができる、配管材の梱包装置体を提供することにある。
【課題を解決するための手段】
【０００９】
この発明に係る配管材の梱包装置体は、前記目的を達成するために、次の構成からなる。すなわち、
請求項１に記載の発明に係る配管材の梱包装置体は、周回状に巻回された架橋ポリエチレン等の合成樹脂材料からなる配管材の巻回束を梱包した梱包装置体である。この梱包装置体は、結束された前記巻回束と、前記巻回束を収容するとともに、前記配管材をその端部から順に外に引き出すための引出部が備わる、段ボール箱体と、前記段ボール箱体に収容されて、前記巻回束を支えてその巻回束とともにその巻回束の周方向に回動可能に支持される、回動部材と、を備える。そして、前記結束は、前記巻回束の外周側から内周側に向かって段階的に開放可能となっている。
【００１０】
このように、周回状に巻回された架橋ポリエチレン等の合成樹脂材料からなる配管材の巻回束は、段ボール箱体に収容されて、保管されたり運搬されたりする。そして、回動部材は、段ボール箱体内において、巻回束を支えて、その巻回束とともにその巻回束の周方向に回動可能に支持される。こうして、段ボール箱体に収容された巻回束は、その巻回束の周方向に回動可能となる。ここで、結束された巻回束の、その結束は、巻回束の外周側から内周側に向かって段階的に開放可能となっており、配管材を、巻回束の外周側の端部から順に外に引き出す際に、配管材の引き出し量に応じて、順次、外側から巻回束の結束を開放することで、巻回束のばらける量を減らすことができる。したがって、巻回束が段ボール箱体の周壁に接触することがなく、あるいは、周壁への巻回束の接触が和らげられる。そして、この配管材の引き出しに伴って、巻回束とともに回動部材が回動する。なお、回動部材が巻回束とともに回動するとは、回動部材が巻回束と一体となって回動する場合は勿論、回動部材が巻回束よりも遅れて回動する場合をも含むものである。
【００１１】
また、請求項２に記載の発明に係る配管材の梱包装置体のように、請求項１に記載の梱包装置体において、前記巻回束は、その径方向において、複数の結束具によって多段的に結束されてもよい。
【００１２】
また、請求項３に記載の発明に係る配管材の梱包装置体のように、請求項２に記載の梱包装置体において、前記結束具は、前記巻回束に巻き付けられる結束線類からなってもよい。
【００１３】
また、請求項４に記載の発明に係る配管材の梱包装置体のように、請求項２に記載の梱包装置体において、前記結束具は、前記巻回束の各側面に取り付けられて、その巻回束の径方向に並ぶ前記配管材を保持する、保持部材からなってもよい。このように、結束具となる保持部材は、巻回束の各側面に取り付けられ、そして、この取り付けられた保持部材によって、巻回束は、結束される。
【００１４】
また、請求項５に記載の発明に係る配管材の梱包装置体のように、請求項４に記載の梱包装置体において、前記保持部材は、少なくとも前記巻回束の径方向の各側で、前記配管材に嵌められるクリップ部と、それらクリップ部を連結する連結部とを有してもよい。
【００１５】
また、請求項６に記載の発明に係る配管材の梱包装置体のように、請求項４または５に記載の梱包装置体において、複数の前記保持部材は、その全てが、同一形状かつ同一サイズであるのが望ましい。こうして、一種類の保持部材を、共通に用いることで、保持部材の部品コストが下がり、また、巻回束への保持部材の取付作業が簡単となる。
【００１６】
また、請求項７に記載の発明に係る配管材の梱包装置体のように、請求項１ないし６のいずれか１項に記載の梱包装置体において、前記配管材の引き出しに伴って、最終段階で開放される前記結束が開放されたときに、その開放によって広がった残りの前記巻回束が、前記段ボール箱体の、前記巻回束の外周面と対向する周壁の内面に接触しないように、構成されるのが望ましい。
【発明の効果】
【００１７】
以上、詳述したところから明らかなように、この発明に係る配管材の梱包装置体によれば、次の効果がある。
【００１８】
請求項１ないし５に記載された配管材の梱包装置体によれば、配管材を、巻回束の外周側の端部から順に外に引き出す際に、配管材の引き出し量に応じて、順次、外側から巻回束の結束を開放することで、巻回束のばらける量を減らすことができ、巻回束が段ボール箱体の周壁に接触することがなく、あるいは、周壁への巻回束の接触が和らげられるので、配管材の引き出しを円滑に行うことができる。
【００１９】
また、請求項６に記載された配管材の梱包装置体によれば、請求項４または５の効果に加えて、一種類の保持部材を、共通に用いることで、保持部材の部品コストを下げることができ、また、巻回束への保持部材の取付作業を簡単に行うことができる。
【００２０】
また、請求項７に記載された配管材の梱包装置体によれば、請求項１ないし６のいずれか１項の効果に加えて、最終段階で開放される結束が開放されたときに、その開放によって広がった残りの巻回束が、段ボール箱体の周壁の内面に接触しないことから、最終段階においても、配管材の引き出しを円滑に行うことができる。
【発明を実施するための最良の形態】
【００２１】
以下、この発明に係る配管材の梱包装置体を実施するための最良の形態を図面に基づいて説明する。
【００２２】
図１ないし図１１は、本発明に係る配管材の梱包装置体の一実施の形態を示す。図中符号１は、配線・配管材、特に、架橋ポリエチレンあるいはポリブデン等の合成樹脂材料からなる配管材としての、可撓性を備えた、給水管等の通水管である。２は、周回状に巻回された前記通水管１の巻回束１ａを梱包する梱包装置である。１１は、前記巻回束１ａを梱包した梱包装置体であって、前記梱包装置２と、結束された前記巻回束１ａとから構成される。
【００２３】
梱包装置２は、前記巻回束１ａを収容する梱包箱としての段ボール箱体３と、回動部材５と、支持部材としての軸部材６とを備えている。
【００２４】
ここにおいて、段ボール箱体３は、例えば、矩形形状の六面体、すなわち直六面体からなる。そして、この段ボール箱体３には、通水管１をその端部から順に外に引き出すための引出部３ｃが備わっている。詳細には、引出部３ｃは、段ボール箱体３における、通水管１を引き出す際に上部に位置する上壁３ｔに設けられている。そして、引出部３ｃには、その引出部３ｃを開閉する蓋３ｄが設けられている。また、段ボール箱体３には、蓋３ｄの閉状態および開状態を保持するための保持手段Ｈとなるクリップ４が設けられている。なお、符号３ｐは、段ボール箱体３の各側壁３ｆに明けられた貫通孔であり、この貫通孔３ｐに、後に詳述する軸部材６が挿通される。そして、この貫通孔３ｐによって、回動部材５が回動する回動軸心Ｊが形成されるが、図示実施の形態においては、回動軸心Ｊは、段ボール箱体３の上方側に、偏心位置している。
【００２５】
回動部材５は、例えば紙製（詳細には、段ボール製）であって、巻回束１ａとともに、段ボール箱体３に収容されて、その巻回束１ａを支えるものである。詳細には、回動部材５は、通水管１がその端部から順に段ボール箱体３の外に引き出されるよう、巻回束１ａを支えてその巻回束１ａとともにその巻回束１ａの周方向に回動可能に支持される。
【００２６】
この回動部材５は、本体部５ａと一対の側板部５ｂ、５ｂとを備えている。本体部５ａは、両側に開口を有する中空筒体からなり、前記巻回束１ａの内側空間部１ｃ内に挿入されて、その巻回束１ａが外周側に配置されるものである。一方、側板部５ｂは、本体部５ａの外周側に配置された前記巻回束１ａの側面１ｂが段ボール箱体３の内面（すなわち、段ボール箱体３の側壁３ｆの内面）と摺接するのを防止すべく、本体部５ａの両側に取り付けられている。そして、この側板部５ｂに、軸孔５ｃが明けられ、この軸孔５ｃに、後に詳述する軸部材６が挿通される。また、側板部５ｂ、５ｂの少なくとも一方（図示実施の形態においては両方）には、本体部５ａ内に起立する起立片５ｄが設けられ、本体部５ａと側板部５ｂ、５ｂとは、起立片５ｄの平板面からなる起し面が、本体部５ａの内面に面接触するようにして接合されて、組み付けられている。さらに、側板部５ｂには、起立片５ｄの起立状態を維持すべく、起立片５ｄと交差する方向に起立し、その起立片５ｄを内側から支える支持片５ｅが設けられている。
【００２７】
具体的には、本体部５ａは、断面多角形状（図示実施の形態においては、断面正多角形状となる、断面正六角形状）に形成され、前記巻回束１ａを支持すべく、その断面多角形状の各角部５ｆが巻回束１ａの内周面１ｄに略当接するように設けられている。そして、起立片５ｄは、複数（図示実施の形態においては、各角部５ｆに対応した数、すなわち計６個）設けられている。これら起立片５ｄ、５ｄは、本体部５ａの各角部５ｆ部分を内面側から支持するようにして、本体部５ａの角部５ｆを構成する壁体５ｇ、５ｇの少なくとも一方（図示実施の形態においては、一方）の壁体５ｇの内面と面接触する。そして、起立片５ｄと本体部５ａとの間には、それら起立片５ｄと本体部５ａとを固着すべく、接着材、両面粘着テープ、あるいは面ファスナー等の固着材（図示せず）が設けられている。もっとも、本体部５ａと側板部５ｂとが接合されるのであれば、起立片５ｄと本体部５ａとを、固着材によって固着しなくとも、ホッチキス等によって固定してもよく、また、単に押圧によって固定してもよい。
【００２８】
また、側板部５ｂは、複数枚の段ボール板７、７が重ね合わされて、それら段ボール板７、７の接合により形成されている。そこで、前記起立片５ｄは、側板部５ｂの一部となる、複数枚の段ボール板７、７における相対的に内側の段ボール板７ａ（７）の一部が、切り起こされて形成され、支持片５ｅは、側板部５ｂの一部となる、複数枚の段ボール板７、７における相対的に外側の段ボール板７ｂ（７）の一部が、切り起こされて形成されている。特に、起立片５ｄにあっては、側板部５ｂの一部となる、前記内側の段ボール板７ａの一部が、本体部５ａの内側からその本体部５ａに向かって切り起こされて起立している。そして、これら起立片５ｄと支持片５ｅとは、切り起こされる前において重合して形成され、側板部５ｂには、起立片５ｄおよび支持片５ｅを同時に起立させるべく、外側から起立片５ｄおよび支持片５ｅを押圧するための、押圧用の孔５ｈが形成されている。すなわち、この押圧用の孔５ｈは、起立片５ｄを起立させるべく、外側からその起立片５ｄを押圧するための、起立片押圧用の孔と、支持片５ｅを起立させるべく、外側からその支持片５ｅを押圧するための、支持片押圧用の孔とを、兼ねた共通の孔となっている。
【００２９】
より詳細には、側板部５ｂは、２枚の段ボール板７、７の接合（例えば、接着）により形成されている。したがって、２枚の段ボール板７、７の一方に前記起立片５ｄが形成され、他方に前記支持片５ｅが形成される。そして、図示実施の形態においては、前記押圧用の孔５ｈは、起立片５ｄおよび支持片５ｅの切り起こしによる孔からなる。また、２枚の段ボール板７、７は、それぞれが、例えば略四角形状に形成されて、それら段ボール板７、７が、４５゜ずれた位置で重ね合わされている。そして、これら段ボール板７、７の中芯の目の方向は、直交するように形成されている。そして、支持片５ｅは、起立片５ｄを支持することから、強度上、この支持片５ｄの中芯の目の方向は、起立片５ｄの起し面に対して略直交する方向となるのが望ましい。なお、側板部５ｂには、補強のために、中央部分に、板紙等からなる補強板５ｉが接着等により接合されている。そして、この補強板５ｉおよび段ボール板７、７を貫通するようにして、前述の軸孔５ｃが明けられている。
【００３０】
また、支持片５ｅは、起立片５ｄを９０度を越えて起立させるべく、起立片５ｄの切り起こしによる孔の大きさに対し、起立片５ｄ側が若干食み出る大きさで形成されて、その孔を強制的に通過して起立するようになっている。つまり、支持片５ｅを形成する切込みの、起立片５ｄ側に位置する切込み５ｍは、先端ほど広がるように傾斜して形成されている（図９、図１０参照）。そして、支持片５ｅは、その起立状態が維持されるよう、内側の段ボール板７ａに係合する。すなわち、起立片５ｄの切り起こしによる孔には、係合凹部５ｊが形成されており、支持片５ｅをその孔を通過させて起立させると、支持片５ｅは、係合凹部５ｊに係合し、その起立状態が確実に維持される。また、支持片５ｅは、１つの起立片５ｄに対して２つ設けられており、それら支持片５ｅ、５ｅは、互いに離れるように切り起こされ、そして、切り起こされる前においては、それら支持片５ｅ、５ｅ間が、切欠き孔５ｋとなっている。
【００３１】
軸部材６は、回動部材５が巻回束１ａとともにその巻回束１ａの周方向に回動可能となるよう支持するものである。ここで、回動部材５が巻回束１ａとともに回動するとは、回動部材５が巻回束１ａと一体となって回動する場合は勿論、回動部材５が巻回束１ａよりも遅れて回動する場合をも含むものである。この軸部材６は、例えば紙製であって、図３に示すように、段ボール箱体３における、前記巻回束１ａの各側面１ｂ、１ｂと対向する側壁３ｆ、３ｆに、渡されるようにして取り付けられる。詳細には、軸部材６は、回動部材５に明けられた軸孔５ｃ、５ｃに挿通されて、両側壁３ｆ、３ｆに渡される。
【００３２】
ここで、軸部材６は、少なくとも二つの分割体８、８によって形成される。そして、軸部材６は、段ボール箱体３の側壁３ｆ、３ｆが外方に広がることを許容すべく、各分割体８、８が互いの軸心がずれることなくその軸方向に相対移動するようにして、前記軸方向に伸長可能となっている。詳細には、各分割体８、８は、巻回束１ａの重量で、各分割体８、８がその軸方向に相対移動して前記側壁３ｆ、３ｆが外方に広がることがなく、一方、通水管１を引き出すべく所要の力が作用したときに、各分割体８、８がその軸方向に相対移動して前記側壁３ｆ、３ｆが外方に広がるように、所定の強度をもって組み付けられている。なお、軸部材６は、非伸長状態においては、前記側壁３ｆ、３ｆが内方にへこむのを防止すべく、前記軸方向への縮みが不能となっている。
【００３３】
より詳細には、軸部材６は、一対の前記分割体８、８によって構成されている。そして、一対の分割体８、８が、段ボール箱体３の各側壁３ｆ、３ｆに固着され、それら各側壁３ｆ、３ｆの、外方への広がりとともに離間するように組み付けられている。ここで、一対の分割体８、８は、それぞれが、前記各側壁３ｆに明けられた貫通孔３ｐおよび回動部材５に明けられた軸孔５ｃに挿通される軸本体６ａと、その軸本体６ａの端部に設けられて各側壁３ｆの外面と対向する鍔部６ｂとを有する。
【００３４】
具体的には、図３および図１１に示すように、軸本体６ａは、例えば板紙が円筒状に形成された、管材からなる。一方、鍔部６ｂは、軸本体６の端面に接着等により固着された、例えば板紙によって形成された平板状の鍔材６ｃの、周縁部分からなる。そして、軸本体６ａと鍔材６ｃとの固着を強固なものとするために、軸本体６ａの内部には、その軸本体６ａと鍔材６ｃとに渡るようにして、例えば板紙からなる補強材６ｄが設けられている。ここで、一方の分割体８ａ（８）には、その一方の分割体８ａ（８）と他方の分割体８ｂ（８）とを接続するための、連接材６ｅが設けられている。そして、他方の分割体８ｂ（８）は、連接材６ｅに対して、前記軸方向にスライド可能となっており、こうして、各分割体８ａ、８ｂは、互いの軸心がずれることなくその軸方向に相対移動する。
【００３５】
図示実施の形態においては、連接材６ｅは、例えば、段ボールが折り曲げられて形成されており、一方の分割体８ａの軸本体６ａに挿入されて止められている。そして、他方の分割体８ｂは、その軸本体６ａが、前記連接材６ｅに対して、前記軸方向にスライド可能に嵌合する。また、軸部材６が、非伸長状態にあるときに、両分割体８ａ、８ｂの軸本体６ａ、６ａが突き合わされることとなり、こうして、この軸部材６は、非伸長状態からの縮みが不能となっている。なお、鍔部６ｂは、段ボール箱体３の側壁３ｆの外面に接着等により固定されており、こうして、分割体８は、前記側壁３ｆに固着される。
【００３６】
また、巻回束１ａにおける結束は、巻回束１ａの外周側から内周側に向かって段階的に開放可能となっている。詳細には、巻回束１ａは、その径方向において、複数の結束具によって多段的に結束されている。具体的には、結束具は、巻回束１ａに巻き付けられる結束線類９からなる。そして、結束線類９は、例えば、帯状に形成されている。図示実施の形態においては、第１段階として、巻回束１ａの内側部分が、結束線類９ａ（９）により結束され、そして、第２段階として、既に結束された部分の全体を含めてそれよりも外側部分まで結束線類９ｂ（９）により結束されるというように、２段階に結束されている（図１ないし３参照）。もっとも、２段階に限定されるものではなく、多段階に結束されていれば、３段階、あるいは４段階以上であってもよい。さらに、第２段階以降は、巻回束１ａにおける、既に結束された部分の一部を含めてそれよりも外側部分まで結束されてもよく、また、既に結束された部分とラップしないようにして、それよりも外側部分が結束されてもよい。
【００３７】
そして、この梱包装置体１１は、通水管１の引き出しに伴って、最終段階で開放される前記結束が開放されたときに、その開放によって広がった残りの巻回束１ａが、段ボール箱体３の、巻回束１ａの外周面と対向する周壁３ｉの内面に接触しないように、構成されている。すなわち、この梱包装置体１１は、巻回束１ａの結束における、最終段階で開放される量が所定以下であったり、あるいは、段ボール箱体３の大きさが所定以上であるように構成される。
【００３８】
次に、以上の構成からなる梱包装置体１１の作用効果について説明する。この梱包装置体１１によると、周回状に巻回された合成樹脂材料からなる通水管１の巻回束１ａは、段ボール箱体３に収容されて、保管されたり運搬されたりする。そして、回動部材５は、巻回束１ａを支えるようにして、その巻回束１ａとともに、段ボール箱体３に収容される。軸部材６は、回動部材５が巻回束１ａとともにその巻回束１ａの周方向に回動可能となるよう支持するものであり、こうして、段ボール箱体３に収容された巻回束１ａは、その巻回束１ａの周方向に回動可能となる。ここで、結束線類９ａ、９ｂにより結束された巻回束１ａの、その結束は、巻回束１ａの外周側から内周側に向かって段階的に開放可能となっている。よって、通水管１を、巻回束１ａの外周側の端部から順に外に引き出す際に、通水管１の引き出し量に応じて、順次、外側から巻回束１ａの結束を開放することで（図示実施の形態においては、始めに、結束線類９ｂ、９ｂを切断し（図４参照）、その後、結束線類９ａ、９ａを切断することで）、巻回束１ａのばらける量を減らすことができる。このことから、巻回束１ａが段ボール箱体３の周壁３ｉに接触することがなく、あるいは、周壁３ｉへの巻回束１ａの接触が和らげられる。そして、この通水管１の引き出しに伴って、巻回束１ａとともに回動部材５が回動するが、このとき、巻回束１ａが段ボール箱体３の周壁３ｉに接触することがなく、あるいは、周壁３ｉへの巻回束１ａの接触が和らげられることから、通水管１の引き出しを円滑に行うことができる。そして、最終段階で開放される結束が開放されたときに、その開放によって広がった残りの巻回束１ａが、段ボール箱体３の周壁３ｉの内面に接触しないことから、最終段階においても、通水管１の引き出しを円滑に行うことができる。
【００３９】
しかも、巻回束１ａのばらける量を減らすことができることから、巻回束１ａから離れようとする部分の通水管１が巻回束１ａの内部に食い込み難くなり、回動部材５とか軸部材６とか段ボール箱体３にかかる負荷が小さくなり、このことによっても、通水管１の引き出しを円滑に行うことができる。
【００４０】
さらに、巻回束１ａのばらける量を減らすことで、その巻回束１ａが回動部材５の下方に垂れ下がる寸法を小さくすることができる。よって、この巻回束１ａの重心が、回動部材５の回動軸心Ｊからずれる値が小さくなり、こうして、この巻回束１ａが回動するのに伴ってその回動が変則的となるのを抑えることができる。したがって、これによっても、通水管１の引き出しを円滑に行うことができる。
【００４１】
その上、巻回束１ａの内側部分の結束が開放されるまでは、巻回束１ａの内径が維持されて、回動部材５が巻回束１ａとともに円滑に回動することが可能となることから、通水管１が回動部材５と擦って傷付くのを防ぐことができるとともに、通水管１の引き出しを円滑にすることができる。なお、巻回束１ａは、回動部材５の構成如何によっては、回動部材５とともに結束され得る。そして、このように、巻回束１ａが回動部材５とともに結束されることで、回動部材５は、巻回束１ａと一体となって、一層円滑に回動することができる。
【００４２】
また、回動部材５は、巻回束１ａが外周側に配置される本体部５ａと、巻回束１ａが段ボール箱体３の内面、すなわち側壁３ｆ、３ｆの内面と摺接するのを防止する一対の側板部５ｂ、５ｂとを備えている。そして、本体部５ａは、両側に開口を有する中空筒体からなり、側板部５ｂ、５ｂは、本体部５ａの両側に取り付けられる。ここにおいて、側板部５ｂ、５ｂの少なくとも一方に設けられた起立片５ｄの起し面が、本体部５ａの内面に面接触するようにして接合されており、この面接触により、本体部５ａと側板部５ｂとの一体性が保たれる。したがって、このような簡単な構造で、この回動部材５の強度を確保することができる。しかも、本体部５ａにおいて、その断面多角形状の各角部５ｆが、巻回束１ａの内周面１ｄに略当接し、起立片５ｄが、本体部５ａの前記各角部５ｆ部分を内面側から支持することで、この回動部材５の強度は、十分に確保される。そして、通水管１を、配管する場合には、段ボール箱体３内の通水管１を、その端部から順に、段ボール箱体３に備わる引出部３ｃを通して、段ボール箱体３の外に引き出すが、この引き出しに伴って、段ボール箱体３内の巻回束１ａが解かれるようにして、回動部材５とともにその巻回束１ａが回動する。
【００４３】
また、回動部材５における側板部５ｂに、起立片５ｄを内側から支える支持片５ｅが設けられており、この支持片５ｅにより、起立片５ｄの起立状態が確実に維持される。ここにおいて、図１０に示すように、本体部５ａと側板部５ｂとを組み合わせた状態で、例えば押圧治具１５を用いることで、側板部５ｂの外側から、押圧用の孔５ｈを通して、起立片５ｄおよび支持片５ｅを押圧して、それら起立片５ｄおよび支持片５ｅを切り起こして起立させる。こうして、起立片５ｄの起し面を、本体部５ａの内面に面接触させるとともに、支持片５ｅによって起立片５ｄを支えて、本体部５ａと側板部５ｂとを組み付けることができる。したがって、本体部５ａと側板部５ｂに巻回束１ａを組み合わせた状態で、側板部５ｂの外側から、押圧用の孔５ｈを通して、起立片５ｄおよび支持片５ｅを切り起こして起立させることで、この回動部材５に巻回束１ａが簡単に取り付けられる。なお、図１０に示される、押圧治具１５は、治具本体１５ａと、その治具本体１５ａの先端付近から突出する補助板１５ｂ、１５ｂとからなる。そして、治具本体１５ａの先端部分が、切欠き孔５ｋから進入して起立片５ｄを押圧し、補助板１５ｂ、１５ｂが、支持片５ｅ、５ｅを押圧するようになっている。
【００４４】
そして、起立片５ｄとか支持片５ｅは、切り起こしによって形成されることで、この起立片５ｄおよび支持片５ｅは、簡単に形成される。しかも、これら起立片５ｄと支持片５ｅとが、異なる段ボール板７ａ、７ｂの切り起こしによって形成されることで、これら起立片５ｄおよび支持片５ｅは、所定の位置に簡単に形成される。
【００４５】
さらに、起立片５ｄにあっては、９０度を越えて起立することから、その起立片５ｄの起し面が、本体部５ａの内面を押圧し、この起立片５ｄは、本体部５ａに確実に接合される。そして、支持片５ｅは、起立片５ｄの切り起こしによる孔を強制的に通過して起立することから、この支持片５ｅの戻りが阻止される。
【００４６】
また、予め、本体部５ａの内面と起立片５ｄの起し面との少なくとも一方に固着材を設けておき、本体部５ａと側板部５ｂとを組み合わせた状態で、側板部５ｂの外側から、押圧用の孔５ｈを通して、起立片５ｄを押圧して、その起立片５ｄを切り起こして起立させることで、起立片５ｄの起し面を、本体部５ａの内面に面接触させれば、これと同時に、起立片５ｄと本体部５ａとを固着することができる。もちろん、起立片５ｄの起し面の全面が本体部５ａに固着される必要はなく、起し面の一部が本体部５ａに固着されても構わない。
【００４７】
軸部材６は、段ボール箱体３における、巻回束１ａの各側面１ｂ、１ｂと対向する側壁３ｆ、３ｆに、渡されるようにして取り付けられる。この軸部材６は、回動部材５が巻回束１ａとともにその巻回束１ａの周方向に回動可能となるように支持するものであり、こうして、段ボール箱体３に収容された巻回束１ａは、その巻回束１ａの周方向に回動可能となる。
【００４８】
ここで、軸部材６は、各分割体８ａ、８ｂが互いの軸心がすれることなくその軸方向に相対移動するようにして、軸方向に伸長可能となっており、こうして、段ボール箱体３の側壁３ｆ、３ｆが外方に広がるのが許容される。これにより、通水管１を引き出す力が、段ボール箱体３に作用すると、軸部材６がその軸方向に伸長することで、段ボール箱体３の側壁３ｆ、３ｆは、外方に広がる。したがって、通水管１の引き出しによって、回動部材５が軸部材６とのクリアランス等により傾いても、その回動部材５は、前記側壁３ｆの内面に接触しないか、あるいは、前記側壁３ｆの内面への押圧力が軽減され、こうして、この回動部材５を円滑に回動させることができる。しかも、各分割体８ａ、８ｂは、巻回束１ａの重量で各分割体８ａ、８ｂがその軸方向に相対移動して段ボール箱体３の側壁３ｆ、３ｆが外方に広がることがなく、そして、通水管１を引き出すべく所要の力が作用したときに、各分割体８ａ、８ｂがその軸方向に相対移動して前記側壁３ｆ、３ｆが外方に広がるように、所定の強度をもって組み付けられているので、前記側壁３ｆ、３ｆが、安易に外方に広がることがなく、この段ボール箱体３の不必要な変形が抑えられる。
【００４９】
また、この軸部材６において、一対の分割体８ａ、８ｂが、各側壁３ｆ、３ｆに固着されて取り付けられることで、通水管１を引き出す力とか、通水管１の自重等が、分割体８ａ、８ｂから側壁３ｆ、３ｆに安定して伝わる。したがって、側壁３ｆ、３ｆにおける、分割体８ａ、８ｂが取り付けられる部分の変形が抑えられる。
【００５０】
なお、本発明は、上述した実施の形態に限定されるわけではなく、その他種々の変更が可能である。例えば、結束具は、結束線類９からならなくとも、図１２および図１３に示すように、巻回束１ａの各側面１ｂに取り付けられて、その巻回束１ａの径方向に並ぶ通水管１を保持する、保持部材１０からなってもよい。この保持部材１０は、例えば合成樹脂材料からなり、少なくとも巻回束１ａの径方向の各側で、通水管１に嵌められるクリップ部１０ａ、１０ａと、それらクリップ部１０ａ、１０ａを連結する連結部１０ｂとを有している。そして、複数の保持部材１０、１０は、その全てが、同一形状かつ同一サイズとなっている。ここで、クリップ部１０ａは、通水管１を保持するように、通水管の周面を１８０度を越えて覆うように、かつ、先端部分が開口して形成されている。そして、連結部１０ｂは、各クリップ部１０ａ、１０ａを連結するように、例えば帯状に形成されている。この保持部材１０によると、クリップ部１０ａが通水管１に嵌められて、保持部材１０は、巻回束１ａの各側面１ｂに取り付けられる。そして、この取り付けられた保持部材１０によって、巻回束１ａは、結束される。このとき、一種類の保持部材１０を、共通に用いることで、保持部材１０の部品コストを下げることができ、また、巻回束１ａへの保持部材１０の取付作業を簡単に行うことができる。なお、図示実施の形態においては、クリップ部１０ａは、連結部１０ｂの各端に設けられているが、それらに加えて、連結部１０ｂの中間部分に設けられてもよい。さらに、クリップ部１０ａは、連結部１０ｂの一方の端と、中間部分に設けられてもよく、また、連結部１０ｂの中間部分のみに複数設けられてもよい。また、このように、保持部材１０は、クリップ部１０ａを有しているが、このクリップ部１０ａに替えて、通水管１に掛けられるフック部を有してもよい。
【００５１】
また、回動部材５において、側板部５ｂは、２枚の段ボール板７ａ、７ｂからならなくとも、３枚以上の段ボール板からなり、例えば、起立片５ｄが切り起こされた内側の段ボール板７ａよりもさらに内側に他の段ボール板を有してもよい。また、この際、起立片５ｄおよび／または支持片５ｅは、その起立状態が維持されるよう、前記他の段ボール板に係合してもよい。そして、このように、起立片５ｄおよび／または支持片５ｅが、他の段ボール板に係合することで、起立片５ｄおよび／または支持片５ｅは、その起立状態が確実に維持される。もちろん、外側の段ボール板７ｂよりもさらに外側に、他の段ボール板が配備されても構わない。
【００５２】
また、起立片５ｄは、側板部５ｂ（詳細には段ボール板７ａ）の一部が切り起こされて形成されているが、切り起こされることなく、別部材によって形成されてもよい。同様にして、支持片５ｅは、側板部５ｂ（詳細には段ボール板７ｂ）の一部が切り起こされて形成されているが、切り起こされることなく、別部材によって形成されてもよい。
【００５３】
また、回動部材５の本体部５ａは、断面円形形状であっても構わなく、この場合、起立片５ｄの起し面は、湾曲面によって形成されていてもよい。また、起立片５ｄの起し面は、その全面が、本体部５ａの内面に面接触するのが望ましいが、その一部が面接触するものであってもよい。
【００５４】
また、軸部材６が軸方向に伸長することで、段ボール箱体３の側壁３ｆ、３ｆが外方に広がるのは、通水管１を引き出す力が、段ボール箱体３に作用した場合に限らず、通水管１の自重等が、段ボール箱体３に作用した場合であってもよい。
【００５５】
また、段ボール箱体３における引出部３ｃは、その段ボール箱体３の一面を形成する壁の一部に設けられてもよいが、一面全体が、引出部３ｃとなっていてもよい。すなわち、段ボール箱体３の一面を形成する壁の一部が、引出部３ｃを開閉する蓋３ｄとなる場合の他に、その一面を形成する壁全体が、引出部３ｃを開閉する蓋３ｄとなっていてもよい。また、このように、引出部３ｃには、その引出部３ｃを開閉する蓋３ｄが設けられているが、この蓋３ｄは無くともよい。すなわち、引出部３ｃは、段ボール箱体３の壁部の適宜部分を除去することにより形成されてもよい。
【００５６】
また、この梱包装置２あるいは梱包装置体１１は、通水管１を引き出すにあたって、縦置きにして（段ボール箱体３の側壁３ｆが縦になった状態で）用いてもよいが、横置きにして（段ボール箱体３の側壁３ｆが横になった状態で）用いても勿論よい。
【００５７】
ところで、段ボール箱体３に収容される巻回束は、通水管１の巻回束１ａでなくとも、通水管１以外の配管材の巻回束であってもよく、さらには、配管材の巻回束でなくとも、配線材（ケーブル）の巻回束であってもよい。
【図面の簡単な説明】
【００５８】
【図１】この発明の一実施の形態の、梱包装置体の蓋を閉状態としたときの斜視図である。
【図２】同じく、図１におけるＡ−Ａ線による断面図である。
【図３】同じく、図１におけるＢ−Ｂ線による断面図である。
【図４】同じく、蓋を開状態とし、通水管を引き出すときの斜視図である。
【図５】同じく、回動部材の斜視図である。
【図６】同じく、回動部材の分解斜視図である。
【図７】同じく、回動部材の側板部における、内側の段ボール板の展開図である。
【図８】同じく、回動部材の側板部における、外側の段ボール板の展開図である。
【図９】同じく、回動部材の側板部の展開図である。
【図１０】同じく、回動部材における、本体部と側板部との組付過程を示す斜視図である。
【図１１】同じく、軸部材の分解斜視図である。
【図１２】この発明の他の実施の形態の、巻回束の正面図である。
【図１３】同じく、図１２におけるＣ−Ｃ線による断面図である。
【図１４】従来のケーブルの収納装置を示す断面図である。
【符号の説明】
【００５９】
１  通水管（配管材）
１ａ  巻回束
１ｂ  側面
３  段ボール箱体
３ｃ  引出部
３ｉ  周壁
５  回動部材
９、９ａ、９ｂ  結束線類（結束具）
１０  保持部材（結束具）
１０ａ  クリップ部
１０ｂ  連結部
１１  梱包装置体
【図１】
2005053561.tif 000003
【図２】
2005053561.tif 000004
【図３】
2005053561.tif 000005
【図４】
2005053561.tif 000006
【図５】
2005053561.tif 000007
【図６】
2005053561.tif 000008
【図７】
2005053561.tif 000009
【図８】
2005053561.tif 000010
【図９】
2005053561.tif 000011
【図１０】
2005053561.tif 000012
【図１１】
2005053561.tif 000013
【図１２】
2005053561.tif 000014
【図１３】
2005053561.tif 000015
【図１４】
2005053561.tif 000016